(57)【特許請求の範囲】
【請求項１】
巻き戻し部材の上レールに嵌設された紐が紐案内輪フレームに設けた滑車に巻き取られるカーテン紐案内輪において、
前記カーテン紐案内輪の紐入口端に案内枠を設置し、
前記紐は前記案内枠を通って前記滑車に巻き取られる一方、
前記紐の動揺に応じて前記紐案内輪フレームに対して前記案内枠が動揺する動揺機構を備え、
前記紐は前記案内枠によって動きが制限されることを特徴とするカーテン紐案内輪の紐案内構造。
【請求項２】
前記動揺機構は、前記紐案内輪フレームの底部に、前記案内枠の枠棒を挿設して枢着するための複数の嵌合槽で形成され、前記嵌合槽に枢着された案内枠が、前記紐の動揺に応じて前記紐案内輪フレームに対して動揺することを特徴とする請求項１に記載のカーテン紐案内輪の紐案内構造。
【請求項３】
前記動揺機構は、前記紐案内輪フレームの底部に、前記案内枠の枠棒を挿設して枢着するための枢着槽と、前記枢着槽に枢着された案内枠の枠棒の動揺範囲を決める動揺槽を設けたカバー板とを備え、
前記案内枠は前記動揺範囲において自在に動揺できることを特徴とする請求項１に記載のカーテン紐案内輪の紐案内構造。
【請求項４】
前記案内枠は、円弧状を備えた枠棒で構成されることを特徴とする請求項１に記載のカーテン紐案内輪の紐案内構造。
【請求項５】
前記案内枠の枠棒の端部が、前記紐案内輪フレームの底部に挿設されて、前記カーテン紐案内輪に対する案内空間が形成されることを特徴とする請求項１に記載のカーテン紐案内輪の紐案内構造。
【請求項６】
前記案内枠の枠棒の端部が、前記上レールに挿設されて、前記カーテン紐案内輪に対する案内空間が形成されることを特徴とする請求項１に記載のカーテン紐案内輪の紐案内構造。
【請求項７】
前記紐及び前記案内枠をそれぞれ複数設け、前記紐の数に応じて複数の案内空間を仕切り、各案内空間に一つの紐が挿設されることを特徴とする請求項１に記載のカーテン紐案内輪の紐案内構造。
【請求項８】
前記案内枠の高さは、前記滑車の位置よりも低く、
前記案内枠の幅は、前記滑車の長さの半分以下である
ことを特徴とする請求項１に記載のカーテン紐案内輪の紐案内構造。
【請求項９】
前記巻き戻し部材の紐出口端に、別の案内枠を設置したことを特徴とする請求項１に記載のカーテン紐案内輪の紐案内構造。
【発明の詳細な説明】
【技術分野】
【０００１】
本発明は、カーテン紐案内輪の紐案内構造に関し、特に、カーテンの紐が、案内枠を経由して紐案内輪に巻き取られた後、紐の状態がより安定的に伝達されるものに関する。
【背景技術】
【０００２】
カーテンのカーテンシート（カーテン布）は、主として、巻き戻し部材の紐によって制御され、巻き戻し部材が、上レールの中に設置されて、カーテンシートが、紐により、上レールの下方に吊り下げるため、伝達過程において、紐に、良い安定性と緊張度を持たせるには、従来技術では、上レールの両側に、紐案内輪構造が配置され、紐を紐案内輪に巻いてから、紐にカーテンシートを吊り下げる。
【０００３】
カーテンのカーテンシートを収束と展開の操作過程において、巻き戻し部材が、紐を引っ張る又は巻く速度が速いため（手動で操作する紐巻き戻し部材や自動巻き戻し部材でも）、紐案内輪に巻き取られた紐が、容易に、跳ねることや動揺することを発生し、特に、従来の紐案内輪１は、複数の滑車１１によりフレーム１２に枢着される設計（図１と図２のように）であるため、滑車１１の両端とフレーム１２との間に、枢着されることによる隙間が存在するため（滑車１１とフレーム１２との間の摩擦抵抗を低減して、滑車１１が自在に回転できるため）、紐１３が、滑車１１にすばやく往復する時、紐１３の滑車１１に巻き取られた緊張度が変化することにより、紐１３は、滑車１１に対して、左右に変位動揺や上下に跳ねる現象が起こり、そのため、紐１３が、滑車１１とフレーム１２との間にある隙間に挟まれて、それにより、カーテンのカーテンシートを収束や展開操作ができなくなる状態が起こる。
【０００４】
そのため、本発明者は、上記欠点を解消するため、慎重に研究し、また、学理を活用して、有効に上記欠点を解消でき、設計が合理である本発明を提案する。
【発明の概要】
【発明が解決しようとする課題】
【０００５】
本発明は、紐が、急速的に引っ張られても又は巻き取られても、滑車とフレームと間にある隙間に挟まれることなく、紐案内輪の滑車が、自在に回転できる既存設計のままで、長期間に、スムーズに操作できるように確保でき、設置のコストも低いままに収まれるカーテン紐案内輪の紐案内構造を提供する。
【課題を解決するための手段】
【０００６】
請求項１の発明は、巻き戻し部材の上レールに嵌設された紐が紐案内輪フレームに設けた滑車に巻き取られるカーテン紐案内輪において、前記カーテン紐案内輪の紐入口端に案内枠を設置し、前記紐は前記案内枠を通って前記滑車に巻き取られる一方、前記紐の動揺に応じて前記紐案内輪フレームに対して前記案内枠が動揺する動揺機構を備え、前記紐は前記案内枠によって動きが制限されることを特徴としている。
【０００７】
請求項２の発明は、請求項１のカーテン紐案内輪の紐案内構造において、
前記動揺機構は、前記紐案内輪フレームの底部に、前記案内枠の枠棒を挿設して枢着するための複数の嵌合槽で形成され、前記嵌合槽に枢着された案内枠が、前記紐の動揺に応じて前記紐案内輪フレームに対して動揺することを特徴としている。
【０００８】
請求項３の発明は、請求項１のカーテン紐案内輪の紐案内構造において、
前記動揺機構は、前記紐案内輪フレームの底部に、前記案内枠の枠棒を挿設して枢着するための枢着槽と、前記枢着槽に枢着された案内枠の枠棒の動揺範囲を決める動揺槽を設けたカバー板とを備え、前記案内枠は前記動揺範囲において自在に動揺できることを特徴としている。
【０００９】
請求項４の発明は、請求項１のカーテン紐案内輪の紐案内構造において、
前記案内枠は、円弧状を備えた枠棒で構成されることを特徴としている。
【００１０】
請求項５の発明は、請求項１のカーテン紐案内輪の紐案内構造において、
前記案内枠の枠棒の端部が、前記紐案内輪フレームの底部に挿設されて、前記カーテン紐案内輪に対する案内空間が形成されることを特徴としている。
【００１１】
請求項６の発明は、請求項１のカーテン紐案内輪の紐案内構造において、
前記案内枠の枠棒の端部が、前記上レールに挿設されて、前記カーテン紐案内輪に対する案内空間が形成されることを特徴としている。
【００１２】
請求項７の発明は、請求項１のカーテン紐案内輪の紐案内構造において、
前記紐及び前記案内枠をそれぞれ複数設け、前記紐の数に応じて複数の案内空間を仕切り、各案内空間に一つの紐が挿設されることを特徴としている。
【００１３】
請求項８の発明は、請求項１のカーテン紐案内輪の紐案内構造において、
前記案内枠の高さは、前記滑車の位置よりも低く、前記案内枠の幅は、前記滑車の長さの半分以下であることを特徴としている。
【００１４】
請求項９の発明は、請求項１のカーテン紐案内輪の紐案内構造において、
前記巻き戻し部材の紐出口端に、別の案内枠を設置したことを特徴としている。
【００１５】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１６】
本発明に係るカーテン紐案内輪の紐案内構造は、主として、カーテン１０の紐案内輪２の紐３１の入口端に、案内枠４が設置され（図３のように）、巻き戻し部材３の上レール６に貫設された紐３１が、案内枠４によって制限され、安定的に、紐案内輪２にある滑車２１に巻き取られて、カーテンシート５に伝達され、これにより、案内枠４により、紐３１が、伝達過程において、発生する跳ねや動揺の現象が低減され、紐３１が滑車２１とフレーム２２との枢着隙間に挟めることを防止できる。
【００１７】
上記構造によれば、案内枠４が、紐案内輪２の紐３１の入口端に設置されるため（図４と図５のように）、巻き戻し部材３から紐案内輪２までの紐３１の経路が、案内枠４の大きさの範囲内に制限され（紐３１を、正しく滑車２１に巻き取られる位置に案内されて、紐３１が、滑車２１の端部へ変位することを防止できる）、また、紐３１が、快速的に引っ張られる又は巻き取られることによる滑車２１の左右へ変位動揺する分や上下へ跳ねる分が、案内枠４によって制限され、これにより、紐３１の上、下、左、右への変位量が、滑車２１がフレーム２２に枢着された長さの距離に制限され、紐３１が、滑車２１とフレーム２２との間にある枢着隙間に挟まれることを防止でき、そのため、長期的にスムーズに作動できる。
【００１８】
本発明に係る案内枠４は、その枠棒４１が円弧状構造に、紐案内輪２の紐３１の入口端に固定される設計であり（円弧状の設計は、紐３１との接触摩擦を小さくして、また、夾角による紐３１の伸縮を支障することを防止するためである）、円弧状である案内枠４の枠棒４１端部を、紐案内輪２のフレーム２２の底部に挿設し（図６のように）、或いは、直接に、上レール６に挿設し、紐案内輪２に対応して、案内枠４において、案内空間４２が形成され、これにより、同じように、巻き戻し部材３から紐案内輪２までの紐３１の経路が、案内枠４の大小範囲内に制限される目的を実現できる。
【００１９】
また、案内枠４の枠棒４１は、案内紐３１の数に対応して、複数の案内空間４２が仕切られ（連続湾曲成形やプレス成形、射出成型等の従来技術により、枠棒４１が形成される）、各案内空間４２に、それぞれ、一つの紐３１が貫設され、紐３１同士の摩擦が低減される。
【００２０】
また、紐案内輪２のフレーム２２は、底部に、案内枠４の枠棒４１が枢着されるための複数の嵌合槽２２１が形成され（図７のように）、これにより、案内枠４は、紐３１の変動状態に応じて、フレーム２２に相対して、動揺することができる。
【００２１】
また、フレーム２２は、底部に、案内枠４の枠棒４１が枢着されるための枢着槽２２２が形成され（図８のように）、そして、カバー板２３を組み合わせて案内枠４が枢着され、また、フレーム２２の底部とカバー板２３において、枠棒４１の動揺方向に応じて動揺槽２３１が設けられ、案内枠４が、動揺槽２３１の範囲において、自在に動揺できる。
【００２２】
ユーザーが、カーテン１０を操作過程において、巻き戻し部材３の紐３１とカーテンシート５とが、対応するように、引っ張られる又は巻き取られるため、紐３１の経路が、案内枠４と紐案内輪２を経由して上レール６に通してから、カーテンシート５が吊り下げされ、そのため、巻き戻し部材３と紐案内輪２との間にある紐３１が、案内枠４によって案内されて制限される。また、案内枠４の高さは、紐案内輪２が巻き取られる第一の滑車２１よりも低くなるのが好ましく、案内枠４の幅は、滑車２１の長さの半分以下が好ましく、これにより、紐３１が紐案内輪２の入口端の中央に位置することを維持でき、紐３１が、滑車２１の端部へ変位して挟まれることを防止できる。
【００２３】
また、巻き戻し部材３の紐３１の出口端にも、紐３１を案内する案内枠４が設置されても良い。
【００２４】
そのため、本発明は、より進歩のかつより実用ので、法に従って発明請求を出願する。
【００２５】
以上は、ただ、本発明のより良い実施例であり、本発明は、それによって制限されることが無く、本発明に係わる発明の請求の範囲や明細書の内容に基づいて行った等価の変更や修正は、全てが、本発明の請求の範囲内に含まれる。
【図面の簡単な説明】
【００２６】
【図１】従来の構造図
【図２】他の従来の構造図
【図３】本発明の構造組立て実施図
【図４】本発明の構造状態図
【図５】本発明の構造図
【図６】本発明の他の構造図
【図７】本発明の使用状態参考図
【図８】本発明の更に他の構造図
【符号の説明】
【００２７】
１  紐案内輪
１０  カーテン
１１  滑車
１２  フレーム
１３  紐
２  紐案内輪
２１  滑車
２２  フレーム
２２１  嵌合槽
２２２  枢着槽
２３  カバー板
２３１  動揺槽
３  巻き戻し部材
３１  紐
４  案内枠
４１  枠棒
４２  案内空間
５  カーテンシート
６  上レール
【図１】
0005763010.tif 000002
【図２】
0005763010.tif 000003
【図３】
0005763010.tif 000004
【図４】
0005763010.tif 000005
【図５】
0005763010.tif 000006
【図６】
0005763010.tif 000007
【図７】
0005763010.tif 000008
【図８】
0005763010.tif 000009